Podtech/llm-jp-corpus-v4-ja_patent huggingface dataset:
(57)【要約】      （修正有）【課題】キャビネットの内部に昇降装置の全てを格納した状態でＴＶまたはモニターだけが昇降し、使用時および未使用時のいずれの状態においても美観を損ねる事がないモニター昇降システムを提供する。【解決手段】専用の枠フレーム１の両側面に精密スライドレール２とネジシャフト７を設け、スライドランナー３とネジシャフト用ナット５を一体固定したモニターフレームマウント足４をネジシャフト７から傘歯歯車等のギヤボックス８を介し、連結シャフト９にて左右連動させモーター１０でネジシャフト７を回転させてモニターフレーム６を上下に動かす。【選択図】図１
0003198639.tif 000002
【実用新案登録請求の範囲】
【請求項１】
専用の枠フレームの両側面に精密スライドレールとネジシャフトを設け、スライドランナーとネジシャフト用ナットを一体固定したモニターフレームマウント足をネジシャフトから傘歯歯車等のギヤボックスを介し連結シャフトにて左右連動させモーターでネジシャフトを回転させてモニターフレームを上下に動かす事が出来るモニター昇降システム。
【請求項２】
請求項１のモニター用電線を連続多関節電線ケースに入れ、電源線の繰り返し疲労破断および絡み付きを無くしたモニター昇降システム。
【請求項３】
請求項１のモーターの電流を調整して昇降速度を自在に調整出来る。また過負荷センサー及び近接センサーを用いて停止位置を自在に調整出来るモニター昇降システム。
【請求項４】
請求項１のシステムをサイドボードおよびキャビネットの内部に取り付けしてモニターを出したり格納したり出来るモニター昇降システム。
【請求項５】
請求項４のシステムを自動車に取り付け出来るモニター昇降システム。
【考案の詳細な説明】
【技術分野】
【０００１】  本考案は、ＴＶ及びモニター等をキャビネットに取り付けて電動で昇降格納出来るシステムに関するものである。
【背景技術】
【０００２】  今までの技術ではＴＶやモニターをキャビネットの上に置くもの、壁や自動車のシート後ろに保持金具を取り付けて固定する方法。およびＴＶやモニターを自動車の天井に取付けたものや平面に取り付け回転運動で格納する物が有った。
【先行技術文献】
【特許文献】
【０００３】
【特許文献１】  特許  第２９８０６５３号
【特許文献２】  特許  第４３０１６３７号
【特許文献３】  実用新案  第２５９９３７１号
【特許文献４】  実公  平４−６３１１
【特許文献５】  特開２０１３−１９４４０
【特許文献６】  特開２０１１−１０６５３３
【特許文献７】  実用新案登録  第３１３９７０７号
【考案の概要】
【考案が解決しようとする課題】
【０００４】  大型ＴＶやモニターの出現によって室内での存在感が大きく成りすぎ、使用しない時には室内空間の演出を制約する事がある。また、大型ＴＶやモニターを回転運動で格納するには支持部に大きな負担がかかり破損し易い。さらに昇降機能を有するものはスライドレール等の装置が露出し美観を損ねるものがある。また駆動形式がレギュレーター式のためモニターの荷重に対する動作の安定性が無かった。
【課題を解決するための手段】
【０００５】  キャビネット内部に格納される専用枠フレームの両側面に精密スライドレールとネジシャフトを設けスライドランナーとネジシャフト用ナットを一体固定したモニターフレームマウント足をネジシャフトから傘歯歯車等のギヤボックスを介し連結シャフトにて左右連動させ、モーターでネジシャフトを回転させてモニターフレームを上下に動かす事が出来るモニター昇降システム。
【考案の効果】
【０００６】  本考案はキャビネットの内部に昇降装置の全てを格納した状態でＴＶまたはモニターだけが昇降する構造により、使用時および未使用時のいずれの状態においても美観を損ねる事をなくすことが出来る。また、動作機構をネジシャフト式にすることで動作の安定性が確保出来る。
【図面の簡単な説明】
【０００７】
【図１】本考案のモニター上至点状態の斜視図である。
【図２】本考案のモニター格納状態の斜視図である。
【図３】キャビネットに取り付けしモニター上至点状態の実施例である。
【図４】キャビネットに取り付けしモニター格納状態の実施例である。
【考案を実施するための形態】
【０００８】  図１を使って説明する。専用の枠フレーム１の両側面に精密スライドレール２とネジシャフト７を設け、スライドランナー３とネジシャフト用ナット５を一体固定したモニターフレームマウント足４をネジシャフトから傘歯歯車等のギヤボックス８を介し、連結シャフト９にて左右連動させモーター１０でネジシャフトを回転させてモニターフレーム６を上下に動かす事が出来るモニター昇降システム。
【実施例】
【０００９】  図３および図４を使って説明する。図３はキャビネット内部に本考案のモニター昇降システムを取り付けしてモニター上至点状態にした図である。図４はモニター格納状態の図である。
【産業上の利用可能性】
【００１０】  応接間や会議室等でキャビネットに本考案のモニター昇降システムを取り付けし必要に応じてモニターを昇降出来る為に部屋の利用範囲が広がる。【００１１】  自動車の運転席後部に本考案のモニター昇降システムを取り付けたキャビネットを設け後部座席でエンターテーメントシステムを確立出来る。
【符号の説明】
【００１２】１    枠フレーム
２    精密スライドレール
３    スライドランナー
４    モニターフレームマウント足
５    ネジシャフト用ナット
６    モニターフレーム
７    ネジシャフト
８    傘歯車等のギヤボックス
９    連結シャフト
１０  モーター
１１  連続多関節電線ケース
【図１】
0003198639.tif 000003
【図２】
0003198639.tif 000004
【図３】
0003198639.tif 000005
【図４】
0003198639.tif 000006
【手続補正書】
【提出日】平成27年4月22日(2015.4.22)
【手続補正１】
【補正対象書類名】実用新案登録請求の範囲
【補正対象項目名】全文
【補正方法】変更
【補正の内容】
【実用新案登録請求の範囲】
【請求項１】
専用の枠フレームの両側面に精密スライドレールとネジシャフトを設け、スライドランナーとネジシャフト用ナットを一体固定したモニターフレームマウント足をネジシャフトから傘歯歯車等のギヤボックスを介し連結シャフトにて左右連動させモーターでネジシャフトを回転させてモニター用電線を取付けたモニターフレームを上下に動かす事が出来るモニター昇降システム。
【請求項２】
請求項１のモニター用電線を連続多関節電線ケースに入れ、電源線の繰り返し疲労破断および絡み付きを無くしたモニター昇降システム。
【請求項３】
請求項１のモーターの電流を調整して昇降速度を自在に調整出来き、過負荷センサー及び近接センサーを用いて停止位置を自在に調整出来るモニター昇降システム。
【請求項４】
請求項１のシステムをサイドボードおよびキャビネットの内部に取り付けしてモニターを出したり格納したり出来るモニター昇降システム。
【請求項５】
請求項４のシステムを自動車に取り付け出来るモニター昇降システム。
(57)【要約】      （修正有）【課題】フナのかかっていないフリーとなっている針の動きを止めて根がかりを起こすことを防ぐことができる二股サルカンを提供する。【解決手段】左右対称の山形の天秤状の棒１と、天秤状の棒１の両端のそれぞれに設けられた、ハリス４を通すための輪２と、天秤状の棒１の中央部に設けられた、道糸８を結びつけるための輪７とを有し、ハリス４を通すための輪２は互いに向き合い棒１の両端にぶら下がるように固定して設けられている。このように設定することによって、フナのかかっていない時はストッパーゴム３にハリス４が通っていることによってハリス４の動きがストッパーゴム３と輪２によって仮止めされ、そして、片方の針５にフナがかかった時は、ハリス４が引っ張られ、ストッパーゴム３を通って移動し、フナのかかっていない針５は、片方の輪２まで引っ張られて移動し、輪２の部分に固定されることによって、根がかりを起こすことを防ぐことができる。【選択図】図７
0003198637.tif 000002
【実用新案登録請求の範囲】
【請求項１】
左右対称の山形の山を支点とする天秤状の棒１の両端に、それぞれ輪２を設ける。
それぞれの輪２は互いに向き合い棒１の両端にぶら下がるように固定して設ける。
左右対称の山形の山を支点とする天秤状の棒１の中央部に輪７を設ける。
１本のハリス４をストッパーゴム３に中通しし、ハリス４の両端に針５を結びつける。
互いに向き合った輪２と輪２の間にハリス４を中通ししたストッパーゴム３を設置する。
ストッパーゴム３に中通しされているハリス４に結び付けられた針５を、それぞれの輪２に内側から外側へ通し、輪２の外側へ出す。
左右対称の山形の山を支点とする天秤状の棒１の中央部に設けた輪７に道糸８を結びつける。
フナがかかった場合に、フナのかかっていない針５が輪２の部分に移動し、固定することのできる二股サルカン。
【請求項２】
左右対称の山形の山を支点とする天秤状の棒１の、頂点の一定部分を、まっすぐにした棒４の二股サルカン。
【考案の詳細な説明】
【考案の開示】
【考案が解決しようとする課題】
【０００１】へらフナ釣りの底釣りにおいて、道糸を結んだ丸サルカンに針のついたハリスを２本結び付けた状態でおこなう底釣りは、フナがかかると、フナを取り込む時にフナが暴れることにより、フナのかかっていないフリーとなっている針は、水中の植物や枯れ枝などの障害物に根がかりを起こしフナの取り込みに大変苦労することがある。
また、これまでの仕掛けは、針のついたハリスを直接に丸サルカンに結び付けるため、フナのかかっていないフリーとなっている針の動きを止めることが課題であった。
【課題を解決するための手段】
【０００２】上記課題を解決するため、左右対称の山形の山を支点とする天秤状の棒の両端に、それぞれ輪を設ける。
それぞれの輪は互いに向き合い棒の両端にぶら下がるように固定して設ける。
左右対称の山形の山を支点とする天秤状の棒の中央部に輪を設ける。
１本のハリスをストッパーゴムに中通しし、ハリスの両端に針を結びつける。
使用方法は、互いに向き合った輪と輪の間にハリスを中通ししたストッパーゴムを設置する。
ストッパーゴムに中通しされているハリスに結び付けられた針を、それぞれ輪に内側から外側に通し、輪の外側へ出す。
左右対称の山形の山を支点とする天秤状の棒の中央部に設けた輪に道糸を結びつける。
【考案の効果】
【０００３】左右対称の山形の山を支点とする天秤状の棒の両端に、それぞれ輪を設ける。
それぞれの輪は互いに向き合い棒の両端にぶら下がるように固定して設ける。
左右対称の山形の山を支点とする天秤状の棒の中央部に輪を設ける。
１本のハリスをストッパーゴムに中通しし、ハリスの両端に針を結びつける。
使用方法は、互いに向き合った輪と輪の間にハリスを中通ししたストッパーゴムを設置する。
ストッパーゴムに中通しされているハリスに結び付けられた針をそれぞれの輪に内側から外側へ通し、輪の外側へ出す。
左右対称の山形の山を支点とする天秤状の棒の中央部に設けた輪に道糸を結びつける。
このように設定することによって、互いに向き合った輪と輪の間に、ハリスを中通ししたストッパーゴムが収まる部分を設けることによって、フナのかかっていない時はストッパーゴムにハリスが通っていることによってハリスの動きがストッパーゴムと輪によって仮止めされ、そして、片方の針にフナがかかった時は、ハリスが引っ張られ、ストッパーゴムを通って移動し、フナのかかっていない針は、片方の輪まで引っ張られて移動し、輪の部分に固定されることによって、根がかりを起こすことを防ぐことができる。
【図面の簡単な説明】
【０００４】
【図１】山形の棒の本体の平面図である。
【図２】山形の棒の本体の正面図である。
【図３】山形の棒の本体の側面図である。
【図４】山形の棒の頂点の一定部分をまっすぐにした本体の平面図である。
【図５】山形の棒の頂点の一定部分をまっすぐにした本体の正面図である。
【図６】山形の棒の頂点の一定部分をまっすぐにした本体の側面図である。
【図７】本体に針とハリスと中通しストッパーゴムをセットした斜視図である。
【符号の説明】
【０００５】１  天秤状の棒
２  輪
３  ストッパーゴム
４  ハリス
５  針
６  山形の棒の頂点の一定部分をまっすぐにした棒
７  輪
８  道糸
【図１】
0003198637.tif 000003
【図２】
0003198637.tif 000004
【図３】
0003198637.tif 000005
【図４】
0003198637.tif 000006
【図５】
0003198637.tif 000007
【図６】
0003198637.tif 000008
【図７】
0003198637.tif 000009
【手続補正書】
【提出日】平成27年4月22日(2015.4.22)
【手続補正１】
【補正対象書類名】実用新案登録請求の範囲
【補正対象項目名】全文
【補正方法】変更
【補正の内容】
【実用新案登録請求の範囲】
【請求項１】
左右対称の山形の天秤状の棒（１）と、天秤状の棒（１）の両端のそれぞれに設けられた、ハリス（４）を通すための輪（２）と、天秤状の棒（１）の中央部に設けられた、道糸（８）を結びつけるための輪（７）とを有し、ハリス（４）を通すための輪（２）は互いに向き合い棒（１）の両端にぶら下がるように固定して設けられていることを特徴とする二股サルカン。
【請求項２】
左右対称の山形の天秤状の棒（１）と、天秤状の棒（１）の両端のそれぞれに設けられた、ハリス（４）を通すための輪（２）と、天秤状の棒（１）の中央部に設けられた、道糸（８）を結びつけるための輪（７）とを有し、ハリス（４）を通すための輪（２）は互いに向き合い棒（１）の両端にぶら下がるように固定して設けられているとともに、棒（１）の中央部の一定部分がまっすぐであることを特徴とする二股サルカン。
(57)【要約】      （修正有）【課題】部屋を広く使えるとともに、部屋の掃除が楽に出来る座椅子を提供する。【解決手段】カーペットの一部が折り畳み可能な座椅子１となっており、座椅子１を倒したとき全体がフラットとなるカーペットであって、テーブルやこたつの下に、正方形を３分割あるいは２分割にした大きさのユニット２と、それと同じ大きさの座椅子１を組み合わせ、座る場所に座椅子１を、それ以外にユニット２を設置する。それにより座椅子１を起こすと普通の座椅子になり、倒すとカーペットの一部となり全体がフラットとなる。【選択図】図１
0003198629.tif 000002
【実用新案登録請求の範囲】
【請求項１】
座椅子とカーペットが一体となっており、座椅子を使用しない時は全体がフラットとなる。
【考案の詳細な説明】
【技術分野】
【０００１】
本発明は床に敷くカーペットをユニット化し、その一部を座椅子にしたものである。
【背景技術】
【０００２】
現在、座椅子はいろんな種類のものが作られており、リクライニングで伸ばすとフラットになるものや薄いものなどが製作されている。
【先行技術文献】
【特許文献】
【０００３】
【特許文献１】実用新案公開平６−５２６２２
【特許文献２】登録実用新案第３０６９９９０号
【特許文献３】登録実用新案第３０９０５６２号
【特許文献４】登録実用新案第３１３８９６４号
【特許文献５】実用新案公開平７−３３９３
【特許文献６】特許公開平９−１０３３４０
【特許文献７】登録実用新案第３１０９４２３号
【非特許文献】
【０００４】
【非特許文献１】吉田  桂二「間取り百年  生活の知恵に学ぶ」彰国社
【非特許文献２】東方洋雄「現代の住空間」彰国社
【非特許文献３】小原二郎「インテリアデザイン 2」鹿島出版会（1976）
【考案の概要】
【考案が解決しようとする課題】
【０００５】
和式の生活に於て、座椅子は非常に楽であり重宝するものであるが、使用しない時や掃除の時はかなり邪魔でありその存在に鬱陶しさを感ずるという点である。
【課題を解決するための手段】
【０００６】
本考案は、座椅子がカーペット等の敷物の一部となっており、使用しない時はフラットな敷物であるが座椅子として使うときのみ起こして使用できるという点である。
【０００７】
また、敷物とユニット化されており、種々のテーブルに対応できるという利便性を持っている。
【考案の効果】
【０００８】
座椅子が敷物の一部としてフラットになっているので、部屋を広く使えるとともに、部屋の掃除が楽にできるという利点がある。
【図面の簡単な説明】
【０００９】
【図１】図１は正方形を３分割した大きさのユニットを組み合わせ、座椅子部分を起こした状態の斜面図である。
【図２】図２は図１の座椅子をフラットにした斜面図である。
【図３】図３は正方形を２分割した大きさのユニットを組み合わせ、座椅子部分を起こした状態の斜面図である。
【図４】図４はテーブルが片側にある時のユニットを組み合わせた斜面図である。
【考案を実施するための形態】
【００１０】
座椅子を倒した時、床に敷いたカーペット等と座椅子が一体となることにより、部屋を広くそして掃除等もしやすくなることを実現した。
【実施例】
【００１１】
図１は長方形のテーブルやこたつの下に正方形を３分割にした大きさのユニット２と同じ大きさの座椅子１を組み合わせ、座椅子１を起こした状態の斜面図であり、座椅子１を起こすと普通の座椅子になり倒すとカーペット等の一部となる。
【００１２】
座椅子１は周りと独立してあるため前後方向へのスライドができ、位置調整も可能である。
【００１３】
図２は、図１で座椅子を倒しフラットにした状態の斜面図であり、畳を敷き詰めた状態あるいは一枚のカーペットや絨毯のようになる。
【００１４】
図３は正方形を２分割した大きさのユニットを、正方形のテーブルやこたつの下に敷き座椅子を起こした状態の例である。
【００１５】
図４は、部屋の壁に向かってテーブルを置いてある場合など、テーブルの片側のみ座椅子を使用する状態の例である。
【産業上の利用可能性】
【００１６】
本考案は、和室を使用する場合、利便性を兼ね備えた新しいライフスタイルとして、消費者に提案できる。
【符号の説明】
【００１７】
１  座椅子になるユニット
２  座椅子にならないユニット
３  テーブル
【図１】
0003198629.tif 000003
【図２】
0003198629.tif 000004
【図３】
0003198629.tif 000005
【図４】
0003198629.tif 000006
【手続補正書】
【提出日】平成27年5月9日(2015.5.9)
【手続補正１】
【補正対象書類名】実用新案登録請求の範囲
【補正対象項目名】全文
【補正方法】変更
【補正の内容】
【実用新案登録請求の範囲】
【請求項１】
カーペットの一部が折り畳み可能な座椅子となっており、座椅子を倒したとき全体がフラットとなるカーペット。
(57)【要約】      （修正有）【課題】電線に止まる鳥類を防止する電線カバーを提供する。【解決手段】鳥が止まれないための電線カバー１であって、一定の長さを有する円筒形から成り、電線の直径より大きな内径を有し、電線カバー１の端部２から端部２‘まで電線に装着するための切れ目３が一直線状に設けられている事を特徴とする電線カバー１のため、切れ目を押し広げながら電線を電線カバーの内側に簡単にはめ込む事が出来、経年変化で傷んだ場合にも新しいものと簡単に交換が出来、更に電線カバーの外側に複数個の電線カバー脱落防止具取付溝が設けられているため、万が一風雨による落下防止のため例えば該電線カバー脱落防止具取付溝にはまり込む結束バンドのような脱落防止具を溝に設置する事で更に安全に使用して解決する。【選択図】図１
0003198670.tif 000002
【実用新案登録請求の範囲】
【請求項１】
鳥が止まれないための電線カバー（１）であって、一定の長さを有する円筒形から成り、電線の直径より大きな内径を有し、電線カバー（１）の端部（２）から端部（２‘）まで電線に装着するための切れ目（３）が一直線状に設けられている事を特徴とする電線カバー（１）。
【請求項２】
電線カバー（１）の外側に複数個の電線カバー脱落防止具取付溝（４）が、外形より円周方向に設けられている事を特徴とする請求項１に記載の電線カバー（１）。
【請求項３】
電線カバー脱落防止具（６）が、結束バンドで有る事を特徴とする請求項２に記載の電線カバー（１）。
【考案の詳細な説明】
【技術分野】
【０００１】  本考案の電線カバーは、電線に止まる鳥類を防止する電線カバーに関するものである。
【背景技術】
【０００２】  従来、電線に止まる鳥類を防止するものとして、電線に電線の直径より太い内径の円筒物を通したものや、ヒンジ部で繋がり電線を包み込む二つの半円筒形体のカバーが知られている。
【先行技術文献】
【０００３】
【特許文献】
【特許文献】  特許公開平１０−１７９００７号公報  特許公開２０１１−１３５７５７号公報
【考案の概要】
【考案が解決しようとする課題】
【０００４】  特許公開平１０−１７９００７号公報のものは、予め電線の直径より太い内径の円筒を電線に通しておく必要が有るため、糞害等に悩む限定された場所の電線に設ける場合電線を外して通して取り換えなければならない欠点が有った。【０００５】  一方特許公開２０１１−１３５７５７号公報のものは、半円筒形のものを本体の繋ぎつまりヒンジ部で曲げて電線を包み込んで、ツメ部のオス、メス構造体によりロックさせるという構造的にも複雑で、製造費用も高くつくという欠点が有った。
【課題を解決するための手段】
【０００６】  上記課題を解決するために本考案は、鳥が止まれないための電線カバー（１）であって、一定の長さを有する円筒形から成り、電線の直径より大きな内径を有し、電線カバー（１）の端部（２）から端部（２‘）まで電線に装着するための切れ目（３）が一直線状に設けられている事を特徴とする電線カバー（１）とする。【０００７】  更に電線カバー（１）の外側に複数個の電線カバー脱落防止具取付溝（４）が、外形より円周方向に設けられている事を特徴とし、特に電線カバー脱落防止具が結束バンドであれば好ましい。【０００８】  本考案の電線カバーは、以上のような構造であるため、既に電線が施設されている所に後から端部から端部まで切れ目が一直線に設けられているため、この切れ目を押し広げながら電線を電線カバーの内側に簡単にはめ込む事が出来、経年変化で傷んだ場合にも新しいものと簡単に交換が出来る優れたものである。【０００９】  又、耐候性の良い円筒状のもの、例えばポリカーボネート等のパイプを使用する場合は、電線の長さに合わせて切断し、その端部から端部に切れ目を入れるだけで良いためコストも大変安く抑える事の出来るものである。【００１０】  なお、電線カバーの外側に複数個の電線カバー脱落防止具取付溝が設けられているため、万が一風雨による落下防止のため例えば該電線カバー脱落防止具取付溝にはまり込む結束バンドのような脱落防止具を溝に設置する事で更に安全に使用出来るものとなる。【００１１】  以上のように、施設しやすく、電線カバーに鳥が止まると同時に電線カバー自体が回転し、鳥がバランスを崩してその結果電線に止まれなくなる優れたものである。もちろん、鳥を傷つけることもなく、電線カバーの有る所には止まれなくなるものとなる。
【図面の簡単な説明】
【００１２】
【図１】本考案の一実施例を示す斜視図である。
【図２】本考案の別の一実施例を示す斜視図である。
【図３】本考案において脱落防止具を設置した状態を示す斜視図である。
【考案を実施するための形態】
【００１３】  本考案における電線カバーの大きさ、デザイン、材質、製造方法等は特に限定されないが、製造しやすいものとしては汎用の耐候性のある例えばテフロン、アクリル、ポリカーボネート等の紫外線劣化を起こしにくいもので数年単位の長期に渡って風雨にさらされても劣化の少ない合成樹脂からなるパイプが挙げられる。
【００１４】  施設する電線の太さや長さによって本考案の電線カバーの長さ、内径の大きさは適宜決めれば良い。もちろん電線カバーに装着する際の切れ目の幅も素材の硬さ等により調節して設ければ良い。
【００１５】  なお、電線カバー脱落防止具としては、耐候性の有る結束バンドが好ましい。
【００１６】  電線カバー脱落防止具取付溝は、両端面近くに通常は２ヵ所設けておくのが好ましい。
以下、実施例と図に基づき説明する。
【実施例】
【００１７】  以下、本考案の一実施例を図１、図２、及び図３で説明するがこれによって本考案は何ら限定されるものではない。【００１８】  図１は、本考案の電線カバー（１）を斜めからみた一例を示す斜視図である。
一定の長さを有する円筒形状いわゆるパイプから成り、電線（５）の直径より大きな内径を有し、電線カバー（１）の端部（２）から端部（２‘）まで切れ目（３）が一直線状に設けられており、該切れ目（３）を押し広げて電線（５）に装着している。【００１９】  図２は、本考案の電線カバー（１）のうち電線カバー（１）の外側の外周に２カ所電線カバー脱落防止具取付溝（４）が外径より円周方向に設けられているのがわかる。【００２０】  図３は、本考案の電線カバー（１）のうち図２で示した電線カバー脱落防止具取付溝（４）に脱落防止具（６）として結束バンドで留めている状態を示した斜視図である。
【産業上の利用の可能性】
【００２１】  本考案の電線カバーは既に電線が施設されていても後からでも一直線状に設けられた切れ目を押し広げて電線カバー内に電線をはめ込むこんで施設出来、万が一風雨による落下防止のための脱落防止具を電線カバー脱落防止具取付溝に沿って結束バンド等で簡単に取付けの出来る優れた電線カバーとなる。
【符号の説明】
【００２２】１  電線カバー
２、２‘端部
３  切れ目
４  電線カバー脱落防止具取付溝
５  電線
６  電線カバー脱落防止具
【図１】
0003198670.tif 000003
【図２】
0003198670.tif 000004
【図３】
0003198670.tif 000005
(57)【要約】      （修正有）【課題】手袋の落下を防止するとともに、手袋の落下時に音を発生させることにより、使用者に手袋が落下した事を知らせる手袋紛失防止具を提供する。【解決手段】手袋紛失防止具１は手袋を着脱自在に係止する係止具２と、腕輪３と、腕輪３に固定した装具４とからなる。係止具２は、クリップを用いることで手袋などに着脱自在に連結することが可能である。腕輪３は、鎖状のものを用い、この鎖状の一部を環状部材５によって構成するものである。この環状部材５は環の一部を環の内側へ押すことによって環が開くことを特徴とし、腕輪３を手首に容易に巻きつけること可能である。また、鎖の穴を利用して装具４を容易に固定することが可能である。装具４は、鈴などの振動によって音が発生するものを用いる。【選択図】図１
0003198661.tif 000002
【実用新案登録請求の範囲】
【請求項１】
鎖状の腕輪と、手袋に着脱する係止部と該係止部を腕輪に取り付ける取付部とを設けた係止具と、前記腕輪に固定して振動により音が発生する装具と、を備える手袋紛失防止具。
【請求項２】
複数の取付部を連結する連結具を備えることを特徴とする請求項１に記載の手袋紛失防止具。
【考案の詳細な説明】
【技術分野】
【０００１】  本考案は、手袋の落下を防止するとともに落下時に音を発生させることにより手袋の使用者に知らせて紛失を防ぐものに関する。
【背景技術】
【０００２】  従来、手袋を係止具によって身の回り品と連結することで手袋の落下を防止するものはあった（例えば、特許文献１ないし３参照）。しかしながら、連結具の破損や使用者の不注意によって、手袋が落下した場合、所有者が気付く事は難しく、紛失する恐れがあった。
【先行技術文献】
【特許文献】
【０００３】
【特許文献１】特開２００３−７８３号公報
【特許文献２】特開２０１１−２２６０４１号公報
【特許文献３】実用新案登録３０６６３４３号公報
【考案の概要】
【考案が解決しようとする課題】
【０００４】  手袋の落下を防止するとともに、手袋の落下時に音を発生させることにより、手袋の使用者に手袋が落下した事を知らせる手袋紛失防止具を提供する。
【課題を解決するための手段】
【０００５】  本考案は、上記課題に鑑み、鎖状の腕輪と、手袋に着脱する係止部と該係止部を腕輪に取り付ける取付部とを設けた係止具と、前記腕輪に固定して振動により音が発生する装具と、を備える手袋紛失防止具。【０００６】  また、上記の構成に加え、複数の係止具の取付部を連結する連結具を備えることを特徴とするものである。【０００７】  請求項１に記載の考案により、手首に固定された腕輪と手袋を係止具により連結することで、一時的に手袋を外して作業をする場合にそのまま手首付近にぶら下がった状態で確保することができるとともに、腕輪に固定された装具によって、落下時の衝撃で振動し音が発生することで所有者に手袋の落下を知らせ、紛失を防ぐことができる。また、鎖の穴を利用することにより装具を固定す
0003198661.tif 000003
【０００８】  請求項２に記載の考案により、複数の係止具の取付部を連結具により連結することで複数の手袋紛失防止具をまとめることができるとともに、それらをベルトの穴や鞄の取手などに吊り下げることで保管することができる。
【図面の簡単な説明】
【０００９】
【図１】本考案の手袋紛失防止具の一例を示す図である。
【図２】本考案の手袋紛失防止具の使用状態を示す図である。
【図３】本考案の手袋紛失防止具を連結具によって連結した状態を示す図である。
【考案を実施するための形態】
【００１０】  本考案の実施の形態を図１にしたがって詳細に説明する。
【００１１】  図１に示すように、本考案の手袋紛失防止具１は手袋を着脱自在に係止する係止具２と、腕輪３と、腕輪３に固定した装具４とからなる。
【００１２】  係止具２は、クリップを用いることで手袋などに着脱自在に連結することが可能である。
【００１３】  腕輪３は、鎖状のものを用い、この鎖状の一部を環状部材５によって構成するものである。この環状部材５は環の一部を環の内側へ押すことによって環が開くことを特徴とし、腕輪３を手首に容易に巻きつけること可能である。また、鎖の穴を利用して装具４を容易に固定することが可能である。
【００１４】  装具４は、鈴などの振動によって音が発生するものを用いる。この装具４は、振動によって音が発生するものであればよく、色や形などを自由に選択することができ装飾としても活用できる。
【００１５】  次に、本考案の使用方法について図２にしたがって詳細に説明する。
【００１６】  図２に示すように、使用者が手袋６を手に嵌入させ、腕７に腕輪３を巻きつけ、手袋６の嵌入口端部と係止具２の係止部２ａを係止させ、腕輪３とを係止具２の取付部２ｂとを連結させている。また、腕輪３には鈴などの装具４を腕輪７に固定している。
【００１７】  次に、本考案の手袋紛失防止具を連結具によって連結した状態について図３にしたがって詳細に説明する。
【００１８】  図３に示すように、一部開閉自在の連結具８を２つの係止具２の取付部２ｂを連結することにより、手袋紛失防止具１をまとめることが可能である。また、この連結具８をベルトの穴や鞄の取手などに吊り下げることも可能である。
【産業上の利用可能性】
【００１９】  本考案の手袋紛失防止具１によって手袋６の落下を防止するとともに、一時的に所有者の手から手袋６を外した時に落下した場合においても装具４が落下時の衝撃によって振動して音が発生し、使用者に手袋６の落下を知らせることで紛失を防ぐことができる。また、腕輪７と装具４は通常のブレスレットのような装飾としても活用することができ意匠的にも優れているものである。
【符号の説明】
【００２０】１・・・手袋紛失防止具
２・・・係止具
２ａ・・・係止部
２ｂ・・・取付部
３・・・腕輪
４・・・装具
５・・・環状部材
６・・・手袋
７・・・腕
８・・・連結具
【図１】
0003198661.tif 000004
【図２】
0003198661.tif 000005
【図３】
0003198661.tif 000006
(57)【要約】      （修正有）【課題】モーターの回転力を放置せず利用する発電機付きモーターを提供する。【解決手段】モーター本体１の回転軸２に、発電機回転軸（回転ローター）４を連結させ、回転ローター４周囲をステーターコイル５で覆い、モーター本体１の回転により発電を行い、電力を得る。モーターの回転力を無駄にせず発電機として利用し、少しでも消費電力を補充する。【選択図】図１
0003198662.tif 000002
【実用新案登録請求の範囲】
【請求項１】
モーターの回転軸に発電機軸を連結させモーターと発電機を一体化したもの。
【考案の詳細な説明】
【技術の分野】
【０００１】本考案は、モーターと発電機を一体化したものである。
【背景技術】
【０００２】従来は、モーターは電力を使い、発電機は他の動力を使い発電している。
【考案の概要】
【考案が解決しようとする課題】
【０００３】工業界でのモーター使用時間は、長時間で機械を動かす他に、モーターの回転力を活かしていない。
【課題を解決するための手段】
【０００４】本考案は、モーターの回転軸に、発電機の回転ローター軸を連結させ回転ローター周囲をステーターコイルで覆いモーターの回転により発電を行い、電力を得るものとする。
【考案の効果】
【０００５】発電機に要するエネルギーは、モーターの回転力を利用する為、微少ですむので発電した電気量は、経済に大きく役立つ。
【図面の簡単な説明】
【０００６】
【図１】本考案の平面図である。
【図２】本考案の斜面図である。ベアリング７を（図示せず）
【符号の説明】
【０００７】１  モーター本体
２  モーター回転軸
３  絶縁体
４  発電機回転軸（回転ローター）
５  コイル（ステーターコイル）
６  永久磁石
７  ベアリング
８  発電機モーターカバー
９  発電機付きモーター取付台
【図１】
0003198662.tif 000003
【図２】
0003198662.tif 000004
(57)【要約】      （修正有）【課題】手袋が全くずり落ちる心配がなく、女性の炊事だけでなく、男性が薬品等の素手で品物を扱えない仕事にも利用することができる手袋ずり落し防止具を提供する。【解決手段】ずり落し防止具１は、人の左右の腕の長さ丈の紐体２と、その両端に取り付けた第一の係止具３、３と、紐体２の中央付近に取り付けた第二の係止具４とからなる。紐体２は、伸縮性を有するものであって、ゴム材のものを用いる。紐体２と第一の係止具３、３とは、環材５、５を用いて装着する。紐体２の端部を折り曲げて固定し、その折り曲げ部分に環材５、５を嵌め込み、その環材５、５に第一の係止具３、３を取り付ける。紐体２と第二の係止具４にも、環材５を用いて装着する。紐体２の中央部分に取り付けた長方形状の取付片６の開口部に環材５を通して固定し、その環材５に第二の係止具４を取り付ける。【選択図】図１
0003198660.tif 000002
【実用新案登録請求の範囲】
【請求項１】
左右の腕の長さ丈の伸縮性を有する紐体と、紐体両端に配置する第一の係止具と、紐体中央部に配置する第二の係止具とからなることを特徴とする手袋ずり落し防止具
【考案の詳細な説明】
【技術分野】
【０００１】  本考案は、主にゴム手袋がずり落ちないように係止するためのずり落し防止具に関する。
【背景技術】
【０００２】  小物吊り下げバンドとして、特許文献１に記載の従来技術があった。これは、小物を鞄に取り付けるためのもので、ゴム手袋がずり落ちることを防止するものではなかった。
（例えば特許文献１参照）【０００３】
【先行技術文献】
【特許文献】
【０００４】
【特許文献１】実用新案登録第３０２０４７１号公報
【考案の概要】
【考案が解決しようとする課題】
【０００５】  女性が洗いものをするときや、男性であっても灯油や薬剤を扱う場合にゴム手袋を利用する。ゴム手袋を利用していると、度々、手袋がずり落ち、その開口部をもち上げなければならない。本件は、このようなゴム手袋がずり落ちることの無いようにするための、ずり落し防止具である。
【課題を解決するための手段】
【０００６】  本考案に係る手袋ずり落し防止具は、左右の腕の長さ丈の伸縮性を有する紐体と、紐体両端に配置する第一の係止具と、紐体中央部に配置する第二の係止具とからなることを特徴とするものである。
【考案の効果】
【０００７】  請求項１に記載の考案により、係止具で手袋を押えているので、作業をしていても常に引っ張っていることとなり、手袋が全くずり落ちる心配がなく、仕事がはかどる。女性の炊事だけでなく、男性が薬品等の素手で品物を扱えない仕事にも利用することができる。【０００８】  また、ゴム手袋だけでなく、他の手袋にも利用することができる。例えば、製鉄業における炉作業に用いる場合に、厚手の手袋を使用することがあるが、係止具及び紐体の形態を変更すると、ゴム手袋以外の手袋にも利用することができる。
【図面の簡単な説明】
【０００９】
【図１】本考案のずり落し防止具の一例を示す斜視図である。
【図２】本考案のずり落し防止具の第一の係止部により手袋を係止した状態を示す正面図である。
【図３】本考案のずり落し防止具の第二の係止部により使用者の襟に係止した状態を示す正面図である。
【図４】本考案のずり落し防止具の紐体を使用者の脇から通す使用状態を示す斜視図である。
【考案を実施するための形態】
【００１０】  本考案の実施の形態を図面に沿って説明する。
図１に示すように、本考案のずり落し防止具１は、人の左右の腕の長さ丈の紐体２と、その両端に取り付けた第一の係止具３、３と、紐体２の中央付近に取り付けた第二の係止具４とからなる。
【００１１】  紐体２は、伸縮性を有するものであって、ゴム材のものを用いる。その他、所定の伸縮性を有するものであれば、繊維質のもの等であってもよい。
【００１２】  紐体２の長さは、使用者の左右の長さ丈であり、使用対象者によって異なるが、概ね１００〜１５０ｃｍ程度である。
【００１３】  紐体２と第一の係止具３、３とは、環材５、５を用いて装着する。紐体２の端部を折り曲げて固定し、その折り曲げ部分に環材５、５を嵌め込み、その環材５、５に第一の係止具３、３を取り付ける。
【００１４】  紐体２と第二の係止具４にも、環材５を用いて装着する。紐体２の中央部分に取り付けた長方形状の取付片６の開口部に環材５を通して固定し、その環材５に第二の係止具４を取り付ける。第二の係止具４は、紐体２に取付片６が配置されて取り付けられたもので、紐体２を第二の係止具４が移動しないように配置されている。
【００１５】  第一の係止具３、３及び第二の係止具４は、ともにクリップを用いる。
【００１６】  次に、本考案のずり落し防止具１の使用方法について説明する。図２に示すように、第一の係止具３、３を、各々の手袋７の甲部分に取り付ける。このとき、係止具３、３の先端と手袋７の先端が同方向となるようにする。また、手袋７は、使用者が手を挿入する挿入口の縁部分を外側に折り返した状態であることが好ましい。
【００１７】  そして、図３に示すように、第二の係止具４を、使用者８の後側であって、襟部分９に取り付ける。この第一の係止具３、３と第二の係止具４の取り付けは、どちらを先にしてもよい。
【００１８】  図４に示すように、使用者８の襟部分に第二の係止具４を取り付け、紐体２を使用者８の脇の下から通す。紐体２の先端にある第一の係止具３、３が手袋７、７の甲部分に取り付けられるため、紐体２が使用者８の腕に巻きつくようになり、その伸縮性から常に手袋を引っ張り上げるように作用する。なお、紐体２を両腕に一周巻き付けてから手袋７、７に取り付けると、より使用者にフィットした状態となる。
【符号の説明】
【００１９】１…ずり落し防止具
２…紐体
３…第一の係止具
４…第二の係止具
５…環材
６…取付片
７…手袋
８…使用者
９…襟部分
【図１】
0003198660.tif 000003
【図２】
0003198660.tif 000004
【図３】
0003198660.tif 000005
【図４】
0003198660.tif 000006
(57)【要約】      （修正有）【課題】弱い力でも研磨効率が良好であり、小型軽量で錆の発生を防止し、衛生的で利便性の高い刃物等の研磨用具を提供する。【解決手段】振動式電動歯ブラシの先端取替え部分と同様の接合形状を有した、工業用ダイヤ等の砥粒を電着させた研磨金物を、振動式電動歯ブラシ本体に装着し、電動歯ブラシの微振動８と手動振動９との合成振動で刃物７を研磨する。【選択図】図１
0003198652.tif 000002
【実用新案登録請求の範囲】
【請求項１】
防錆ステンレス製金物に、工業用ダイヤ等の砥粒を電着させた研磨金物を  プラスチック等の樹脂材料で射出成形により、一体化した小型軽量で錆の発生を防止し、衛生的で利便性の高い構造とした  刃物等の研磨用具を提供することを特徴とする。
【請求項２】
前記、本考案による刃物等の研磨用具は、振動式電動歯ブラシ本体に装着し  主婦等の弱い力でも容易に歯磨き感覚で刃物等の研磨作業が出来ることを特徴とする。
【考案の詳細な説明】
【技術分野】
【０００１】
本考案は、振動式電動歯ブラシの本体を使用し、歯ブラシの先端取り替え部分を  防錆ステンレス製金物に工業用ダイヤ等の砥粒を電着させた研磨金物を  プラスチック等の樹脂材料で射出成形により、一体化した小型軽量で錆の発生を防止し、衛生的で利便性の高い構造とした  刃物等の研磨用具に関するものである。
【背景技術】
【０００２】
従来の研磨用具の先端部分は、プラスチック等の樹脂材料で射出成形された用具本体に、平面状の砥石が接着剤等により、取り付けられていた。又、先端部にヤスリを用いたものもあった。しかし、先端部分が砥石のため  包丁等の研磨時には、少々の押し付け力が必要であり  常時水を使用するため、接着力が低下し  すぐに砥石がはがれるので補修に手間がかかり、主婦等には実用化されず、包丁研ぎは  男性の仕事として、敬遠されていた。又、先端部にヤスリを用いたものは、すぐに錆が発生するので  不衛生のため敬遠されていた。
【先行技術文献】
【特許文献】
【０００３】
【特許文献１】特許公開平９−１８３０５８
【特許文献２】特許出願平９−３０１９２
【特許文献３】実願平５−５４７２
【特許文献４】意匠登録D１４８５２４５
【特許文献５】意匠登録D１４８５２４６
【非特許文献】
【０００４】
【非特許文献１】未検索
【考案の概要】
【考案が解決しようとする課題】
【０００５】
本考案の解決しようとする課題は、振動式電動歯ブラシ等を用いて、主婦等の弱い力でも  研磨効率が良好な、小型軽量で錆の発生を防止し、衛生的で利便性の高い構造とした  刃物等の研磨用具を提供することで、包丁研ぎは  男性の仕事として、敬遠されていたものを主婦等でも容易に歯磨き感覚で、包丁研ぎが出来ることを課題としている。
【課題を解決するための手段】
【０００６】
本考案は、振動式電動歯ブラシの本体を使用し、歯ブラシの先端取り替え部分を防錆ステンレス製金物に工業用ダイヤ等の砥粒を電着させた研磨金物を  プラスチック等の樹脂材料で射出成形により、一体化した小型軽量で錆の発生を防止し、衛生的で利便性の高い構造とした  刃物等の研磨用具に関するものである。
【考案の効果】
【０００７】
本考案は、振動式電動歯ブラシの先端取り替え部分を  防錆ステンレス製金物に工業用ダイヤ等の砥粒を電着させた研磨金物を  プラスチック等の樹脂材料で射出成形により、一体化したことにより、包丁等の研磨時に多量の水を使用しても  故障することなく、長寿命化が図れるので経済的である。又、主婦等の弱い力でも  研磨効率が良好な、小型軽量で錆の発生を防止し、衛生的で利便性の高い構造とした刃物等の研磨用具を提供することが出来る。
【図面の簡単な説明】
【０００８】
【図１】図１は、本考案による刃物等の研磨用具を使用時の状態を簡略化した平面図。（実施例１）
【図２】図２は、本考案による刃物等の研磨用具を使用時の状態を簡略化した正面図。（実施例１）
【図３】図３は、本考案による刃物等の研磨用具の平面図。（実施例１）
【図４】図４は、本考案による刃物等の研磨用具の正面図。（実施例１）
【考案を実施するための形態】
【０００９】
本考案は、歯ブラシの先端取り替え部分を  防錆ステンレス製金物に工業用ダイヤ等の砥粒を電着させた研磨金物を  プラスチック等の樹脂材料で射出成形により、一体化した小型軽量で錆の発生を防止し、衛生的で利便性の高い構造とした  刃物等の研磨用具に関するものである。
【実施例】
【００１０】
図１の実施例１は、本考案による刃物等の研磨用具を使用時の状態を簡略化した平面図である。７で示す刃物の刃先部に、５の工業用ダイヤ等の電着部を軽くあてがい、９で示す手動による本研磨用具の移動方向に動かす。これにより、１の振動式電動歯ブラシ本体による微振動と  手動による研磨が複合的に作用し、小力の上  短時間で効率的な刃物等の研磨が可能である。
【００１１】
図２の実施例１は、本考案による刃物等の研磨用具を使用時の状態を簡略化した正面図である。７の刃物の刃先の腹部に  ２のプラスチック等の樹脂材料の先端取り替え部分が、接触した状態で研磨すると  適度な研磨角度が得られる。さらに、１の振動式電動歯ブラシ本体を持つ手が、７の刃物の刃先部の研磨部から  離れているので安全に研磨作業が出来る。
【００１２】
図３の実施例１は、本考案による刃物等の研磨用具の平面図である。  ５の工業用ダイヤ等の電着部は、４の防錆ステンレス製金物に施工後、２のプラスチック等の樹脂材料で射出成形により、一体成形して製作する。  ３は抜け防止用溝であり  使用時に容易に抜けない構造とする。  ６は、振動式電動歯ブラシ本体との接合部であり、１の振動式電動歯ブラシ本体と接合する。
【００１３】
図４の実施例１は、本考案による刃物等の研磨用具の正面図である。
【産業上の利用可能性】
【００１４】
ブラシの材質を防錆金属ワイヤー等にして、電動モーターを大型化すれば、電動錆落とし機、電動磨き機等のブラッシング用途等にも適用出来る。
【符号の説明】
【００１５】
１  振動式電動歯ブラシ本体
２  プラスチック等の樹脂材料の先端取り替え部分
３  抜け防止用溝
４  防錆ステンレス製金物
５  工業用ダイヤ等の電着部
６  振動式電動歯ブラシ本体との接合部
７  刃物の刃先部
８  振動式電動歯ブラシによる微振動方向
９  手動による本研磨用具の移動方向
【図１】
0003198652.tif 000003
【図２】
0003198652.tif 000004
【図３】
0003198652.tif 000005
【図４】
0003198652.tif 000006
【手続補正書】
【提出日】平成27年5月14日(2015.5.14)
【手続補正１】
【補正対象書類名】実用新案登録請求の範囲
【補正対象項目名】全文
【補正方法】変更
【補正の内容】
【実用新案登録請求の範囲】
【請求項１】
振動式電動歯ブラシの先端取替え部分と同様の接合形状を有した、工業用ダイヤ等の砥粒を電着させた研磨金物を、前記振動式電動歯ブラシ本体に装着し、手動振動のみで刃物等を研磨することを特徴とする刃物等の研磨用具。
【請求項２】
振動式電動歯ブラシ本体に、請求項１に記載の刃物等の研磨用具を装着し、電源を入れて電気振動と手動振動の合成振動で刃物等を研磨することを特徴とする請求項１に記載の刃物等の研磨用具。
(57)【要約】      （修正有）【課題】通常廃棄していた使い古した菜箸や歯ブラシ等の柄の部分を容易に装入し、押しボルトで固定することにより、着脱が容易で掃除用具として、再利用するために、多用途に使用可能で持ち易く、手を痛めない専用の取っ手を提供する。【解決手段】菜箸の一端が挿入させる挿入穴２を一端に設けた取っ手１であって、取っ手は、挿入穴に挿入された菜箸を固定する固定手段４を備えていることを特徴とする。【選択図】図１
0003198656.tif 000002
【実用新案登録請求の範囲】
【請求項１】
本考案の多用途とってもいい取っ手に、使い古した菜箸等を装入  固定することにより、棒ブラシとして  窓枠の溝等又は、台所のシンクや狭い隙間等に  清掃用具として、再使用することが出来ることを特徴とする。
【請求項２】
本考案の多用途とってもいい取っ手に、使い古した歯ブラシ等を装入  固定することにより、小型ブラシとして  浴槽やタイル等又は、台所のシンクや狭い隙間等に  清掃器具として、再使用することが出来ることを特徴とする。
【考案の詳細な説明】
【技術分野】
【０００１】
本考案は、清掃器具等の一部に関するものであり  通常、使い古した菜箸や歯ブラシ等は  その使用用途が終わると廃棄されていた、これらの品物を容易に装着し、窓枠の溝や浴槽やタイル及び、タイルのめじ等の掃除用具として、再利用するための多用途に使用可能な取っ手に関するものである。
【背景技術】
【０００２】
従来、菜箸や歯ブラシ等は、その使用用途が終了し  使えなくなったら廃棄されていた。再利用する場合は、指や手のひら等を痛めないように、持ち手の部分をタオル等で保護したり、木材を加工して専用の取っ手を付けたり  養生しなければ、そのままの状態では  持ち手部が細いので使用が難しかった。又、柄や取っ手の部分のみでは市販されているものがなかった。
【先行技術文献】
【特許文献】
【０００３】
【特許文献１】特開２００２−１１２９２７
【非特許文献】
【０００４】
【非特許文献１】未検索
【考案の概要】
【考案が解決しようとする課題】
【０００５】
本考案が解決しようとする課題は、使い古した菜箸や歯ブラシ等を廃棄せずに  そのまま清掃用具として、再利用すると柄の部分が細いので、力を入れて長時間使用すると  指や手のひら等を痛めてしまう危険性があった。
【課題を解決するための手段】
【０００６】
本考案は、通常廃棄していた  使い古した菜箸や歯ブラシ等の柄の部分を容易に装入し、押しボルトで固定することにより、着脱が容易で  掃除用具として、再利用するために  多用途に使用可能で持ち易く、手を痛めない専用の取っ手を供給するものである。
【考案の効果】
【０００７】
本考案の多用途とってもいい取っ手に、使い古した菜箸を装入、固定すると窓枠の溝等の狭い隙間等の清掃用具として使用出来る。又、使い古した歯ブラシを装入、固定すると小型ブラシとして  浴槽やシンク、タイルやめじ等の清掃用具として、有効利用することが出来る。専用の取っ手で持ち易く、樹脂製で小型軽量のため長時間使用しても  指や手のひら等を痛めることはない。
【図面の簡単な説明】
【０００８】
【図１】図１は、本考案の多用途とってもいい取っ手の正面図。（実施例１）
【図２】図２は、本考案の多用途とってもいい取っ手の平面図。（実施例１）
【図３】図３は、本考案の多用途とってもいい取っ手の左側面図。（実施例１）
【図４】図４は、本考案の多用途とってもいい取っ手に中古歯ブラシ等の掃除用具を装着した正面図。（実施例２）
【考案を実施するための形態】
【０００９】
本考案は、通常廃棄していた  使い古した菜箸や歯ブラシ等の柄の部分を容易に装入し、押しボルトで固定することにより、着脱が容易で  掃除用具として、再利用するために  多用途に使用可能で持ち易く、手を痛めない専用の取っ手に関するものである。
【実施例】
【００１０】
（実施例１）
図１の  １は、本考案の樹脂製取っ手本体であり、樹脂材料等を射出成形により  一体成形したもので持ち手の部分は、滑り止めのため  凸凹のローレット溝加工を施している。又は、柔らかいシリコンゴム等で被覆してもよい。中央部は、２の中古歯ブラシ等の掃除用具の装入穴を開けている構造で、７の中古歯ブラシ等の掃除用具を装入し  ３のステンレス製ボルトの樹脂製頭部を回転させて４のステンレス製ボルトを押し付けて、これを固定する。４のステンレス製ボルトの頭部は、片手で容易に回せるように、３の樹脂材料等で射出成形により、頭部のみ埋め込むものとする。
【００１１】
図２の  ３及び４のステンレス製ボルトは、図中左側から  入れる構造としているが、図中の上下どちらから入れる構造としてもよい。
図３の  Aは、ボルトの通り溝で  Bはナットの通り溝である。４のステンレス製ボルトに５のステンレス製座金と６のステンレス製ナットを取り付けて、A及びBの溝を通して  ボルトの締め付け位置まで移動する。所定の位置で３のステンレス製ボルトの樹脂製頭部を回すと６のステンレス製ナットは、溝により固定されて回転することなく  ボルトのみが上下する。
【００１２】
（実施例２）  
図４の  ７は中古歯ブラシ等の掃除用具を１の本考案の樹脂製取っ手本体に装着した状態を示す。
【産業上の利用可能性】
【００１３】
日常生活雑貨等において、取っ手部の形状が持ち手に合わず、長時間の使用等に適さない品物等の代替えとして  取っ手部のみを付け替えて使用することが出来る。このため、本考案の多用途とってもいい取っ手の装入穴のサイズや形状を変えて数種類製作することにより、各サイズに対応が可能である。
【符号の説明】
【００１４】
１  本考案の樹脂製取っ手本体
２  中古歯ブラシ等の掃除用具の装入穴
３  ステンレス製ボルトの樹脂製頭部  
４  ステンレス製ボルト
５  ステンレス製座金
６  ステンレス製ナット
７  中古歯ブラシ等の掃除用具
A   ボルトの通り溝
B  ナットの通り溝
【図１】
0003198656.tif 000003
【図２】
0003198656.tif 000004
【図３】
0003198656.tif 000005
【図４】
0003198656.tif 000006
【手続補正書】
【提出日】平成27年5月13日(2015.5.13)
【手続補正１】
【補正対象書類名】実用新案登録請求の範囲
【補正対象項目名】全文
【補正方法】変更
【補正の内容】
【実用新案登録請求の範囲】
【請求項１】
菜箸の一端が挿入させる挿入穴を一端に設けた取っ手であって、前記取っ手は、前記挿入穴に挿入された菜箸を固定する固定手段を備えていることを特徴とする取っ手。
【請求項２】
歯ブラシの一端が挿入させる挿入穴を一端に設けた取っ手であって、前記取っ手は、前記挿入穴に挿入された歯ブラシを固定する固定手段を備えていることを特徴とする取っ手。